(57)【要約】【課題】栓蓋の上面における水の残留をより確実に防止しつつ、栓蓋の上面形状に関する自由度を飛躍的に高めることができる排水栓装置を提供する。【解決手段】排水栓装置１は、排水時に水が流入する排水流入口２１を開閉するための栓蓋６と、栓蓋６の裏側に位置する作動軸４２を備えてなる作動軸機構４とを備え、作動軸４２の往復移動に伴い栓蓋６が移動することで、排水流入口２１の開閉状態を切換可能とされる。栓蓋６は、作動軸４２の往復移動に伴い回動するように構成されており、排水流入口２１が開状態及び閉状態の少なくとも一方であるときに栓蓋６が水平方向に対し斜めに傾いた状態となる。これにより、栓蓋６の上面における水の残留をより確実に防止可能となる。また、水の残留防止を図るために、栓蓋６の上面形状を上に凸の湾曲面状とする必要がなく、栓蓋６の上面形状に関する自由度を高めることができる。【選択図】      図４
2020204200.tif 000002
【特許請求の範囲】
【請求項１】
槽体の底側に設けられ排水時に水が流入する排水流入口を開閉するための栓蓋と、
前記栓蓋を正面から見たときに当該栓蓋の裏側に位置するとともに、往復移動可能に構成された作動軸を備えてなる作動軸機構とを備え、
前記作動軸の往復移動に伴い前記栓蓋が移動することで、前記排水流入口の開閉状態を切換可能な排水栓装置であって、
所定の支持部を有するとともに、前記槽体に対し直接又間接的に固定された台座部を有し、
前記栓蓋は、前記支持部に対し回動可能な状態で取付けられ、前記作動軸の往復移動に伴い回動するように構成されており、
前記作動軸の往復移動に伴い前記栓蓋が回動することで前記排水流入口の開閉状態が切換えられるとともに、前記排水流入口が開状態及び閉状態の少なくとも一方であるときに前記栓蓋が水平方向に対し斜めに傾いた状態となるように構成されていることを特徴とする排水栓装置。
【請求項２】
前記栓蓋の上面は、平坦面状又は下に凸の湾曲面状をなし、
前記排水流入口が閉状態であるときに、前記槽体に設けられた窪み状の凹部に前記栓蓋が収容された状態になるとともに、当該槽体の表面から当該栓蓋の上面にかけて連続面状をなすように構成されていることを特徴とする請求項１に記載の排水栓装置。
【請求項３】
前記排水流入口は、前記槽体に設けられた窪み状の凹部内に位置しており、
前記栓蓋は、前記排水流入口が開状態であるときに、水平方向に対し斜めに傾いた状態となるように構成され、
前記排水流入口が開状態であるときに、前記栓蓋の上面のうち当該栓蓋の傾き方向に沿った最下部が前記凹部内又は前記凹部の鉛直上方に配置されるように構成されていることを特徴とする請求項１又は２に記載の排水栓装置。
【請求項４】
前記槽体は、底壁部及び当該底壁部の周縁から立設された側壁部を有し、
前記栓蓋は、前記側壁部側に配置されるとともに、その回動軸が当該側壁部の幅方向に沿って延びるものとされ、かつ、当該側壁部とは反対側を回動中心として回動可能に構成されていることを特徴とする請求項１乃至３のいずれか１項に記載の排水栓装置。
【請求項５】
前記槽体に貫通形成された取付孔に対し挿設されるとともに、前記台座部が取付けられる排水口部材を備え、
前記排水口部材は、
端部開口が前記排水流入口を構成する筒状の本体部と、
当該本体部の上端部から外側に突出する鍔部とを有し、
前記本体部の内部空間を通り、かつ、前記栓蓋の回動軸と直交する断面において、前記本体部の外周部に対する前記鍔部の突出量が、前記側壁部とは反対側の方よりも前記側壁部側の方が小さなものとなるように構成されていることを特徴とする請求項４に記載の排水栓装置。
【請求項６】
前記栓蓋は、前記支持部に対し取付及び取外自在に構成されており、
前記栓蓋を前記側壁部側へと移動させることで、前記支持部から前記栓蓋を取外可能であることを特徴とする請求項４又は５に記載の排水栓装置。
【請求項７】
前記作動軸機構は、前記栓蓋の上面に対する押動により、前記作動軸を所定の上方位置にて保持すること、及び、前記作動軸を所定の下方位置にて保持することを交互に行うことが可能に構成されていることを特徴とする請求項１乃至６のいずれか１項に記載の排水栓装置。
【発明の詳細な説明】
【技術分野】
【０００１】
本発明は、槽体からの排水が流入する排水流入口を開閉するための排水栓装置に関する。
【背景技術】
【０００２】
従来、栓蓋を遠隔操作することで、槽体（例えば、浴槽や洗面ボウルなど）の底側に設けられた、排水時に水が流入する排水流入口の開閉状態を切換可能な排水栓装置が知られている。
【０００３】
排水栓装置としては、往復移動可能であるとともに、先端部に前記栓蓋が取付けられた作動軸と、変位可能な操作部（例えば操作ボタン）と、当該操作部の変位による駆動力を作動軸ひいては栓蓋へと伝達するための伝達部材（例えばワイヤ等）とを備えたものが一般に知られている。このような排水栓装置では、操作部に対する操作に伴い伝達部材が往復移動し、作動軸及び栓蓋が上下動することで、排水流入口の開閉状態が切換えられるようになっている。また、栓蓋の上面は、通常、上に向けて凸の湾曲面状とされている（例えば、特許文献１等参照）。
【先行技術文献】
【特許文献】
【０００４】
【特許文献１】特開２０１２−１５４１３３号公報
【発明の概要】
【発明が解決しようとする課題】
【０００５】
ところで、上記のように栓蓋の上面を上に向けて凸の湾曲面状とするのは、栓蓋の上面における水の残留を防ぎ、栓蓋に対する水垢や汚れ等の付着を防止するためである。従って、このような作用効果を得ようとした場合、栓蓋の上面形状については、上記のような湾曲面状とせざるを得ず、その他の形状を採用することは難しい。つまり、栓蓋の上面における水の残留防止という作用効果を得ようとすれば、栓蓋の上面形状に関する設計自由度は必然的に低いものとなってしまう。
【０００６】
本発明は、上記事情に鑑みてなされたものであり、その目的は、栓蓋の上面における水の残留をより確実に防止することができるとともに、栓蓋の上面形状に関する自由度を飛躍的に高めることができる排水栓装置を提供することにある。
【課題を解決するための手段】
【０００７】
以下、上記目的を解決するのに適した各手段につき、項分けして説明する。なお、必要に応じて対応する手段に特有の作用効果を付記する。
【０００８】
手段１．槽体の底側に設けられ排水時に水が流入する排水流入口を開閉するための栓蓋と、
前記栓蓋を正面から見たときに当該栓蓋の裏側に位置するとともに、往復移動可能に構成された作動軸を備えてなる作動軸機構とを備え、
前記作動軸の往復移動に伴い前記栓蓋が移動することで、前記排水流入口の開閉状態を切換可能な排水栓装置であって、
所定の支持部を有するとともに、前記槽体に対し直接又間接的に固定された台座部を有し、
前記栓蓋は、前記支持部に対し回動可能な状態で取付けられ、前記作動軸の往復移動に伴い回動するように構成されており、
前記作動軸の往復移動に伴い前記栓蓋が回動することで前記排水流入口の開閉状態が切換えられるとともに、前記排水流入口が開状態及び閉状態の少なくとも一方であるときに前記栓蓋が水平方向に対し斜めに傾いた状態となるように構成されていることを特徴とする排水栓装置。
【０００９】
上記手段１によれば、栓蓋は作動軸の往復移動に伴い回動するものとされ、排水流入口が開状態及び閉状態の少なくとも一方であるときに、栓蓋が水平方向に対し斜めに傾いた状態となるように構成されている。栓蓋が水平方向に対し斜めに傾いた状態となることで、栓蓋の上面に付着した水が当該上面を伝わって流れ落ちることとなるため、栓蓋の上面における水の残留をより確実に防止することができる。これにより、栓蓋の上面に対する水垢や汚れなどの付着をより確実に防ぐことができ、美観や衛生性の向上を図ることができる。
【００１０】
また、上記手段１によれば、栓蓋の上面における水の残留防止を図るために、栓蓋の上面形状を上に凸の湾曲面状とする必要がなくなる。さらに、栓蓋の裏側に配置される作動軸によって栓蓋を回動させるため、栓蓋を回動させるための構造が栓蓋の上面形状に影響を与えることがない。これらの結果、栓蓋の上面形状に関する自由度を飛躍的に高めることができる。
【００１１】
手段２．前記栓蓋の上面は、平坦面状又は下に凸の湾曲面状をなし、
前記排水流入口が閉状態であるときに、前記槽体に設けられた窪み状の凹部に前記栓蓋が収容された状態になるとともに、当該槽体の表面から当該栓蓋の上面にかけて連続面状をなすように構成されていることを特徴とする手段１に記載の排水栓装置。
【００１２】
尚、「槽体の表面から栓蓋の上面にかけて連続面状をなす」とあるのは、厳密な連続面となる場合のみならず、槽体の表面と栓蓋の上面との間に多少の段差や凹みなどが存在し、両面がほぼ連続面となる場合も含む。
【００１３】
上記手段２によれば、栓蓋の上面は平坦面状又は下に凸の湾曲面状とされるとともに、排水流入口が閉状態であるときには、栓蓋が槽体の凹部に収容され、栓蓋の上面から槽体の表面にかけて連続面状となるように構成されている。従って、従前のように栓蓋の上面を上に凸の湾曲面状とした場合と比較して、栓蓋の上面から槽体の表面にかけての部位をより滑らかで凹凸のほとんど存在しない状態とすることができる。これにより、非常に優れた美観を得ることができる。
【００１４】
また、栓蓋の上面から槽体の表面にかけて凹凸がほとんど存在しない状態となることで、使用者にとっての安全性を高めることができる。さらに、栓蓋の上面から槽体の表面にかけての部位における汚れや水垢の付着をより効果的に抑制することができ、また、仮に汚れ等が付着したとしても、付着した汚れ等の除去を容易に行うことが可能となる。
【００１５】
尚、上記手段１の構成を利用することで、栓蓋の上面形状として、平坦面状や下に凸の湾曲面状などの従来採用しにくい形状も問題なく採用することができる。
【００１６】
手段３．前記排水流入口は、前記槽体に設けられた窪み状の凹部内に位置しており、
前記栓蓋は、前記排水流入口が開状態であるときに、水平方向に対し斜めに傾いた状態となるように構成され、
前記排水流入口が開状態であるときに、前記栓蓋の上面のうち当該栓蓋の傾き方向に沿った最下部が前記凹部内又は前記凹部の鉛直上方に配置されるように構成されていることを特徴とする手段１又は２に記載の排水栓装置。
【００１７】
尚、上記手段３が上記手段２に従属する場合において、「凹部」はそれぞれ同じものを指す。
【００１８】
上記手段３によれば、排水流入口が開状態であるときに、栓蓋の上面のうち当該栓蓋の傾き方向に沿った最下部が凹部内又は凹部の鉛直上方に配置されるように構成されている。従って、排水流入口が開状態であるときに、栓蓋の上面に付着し当該上面を伝わって流下する水を凹部内へとより確実に案内することができる。これにより、栓蓋上面を流れ落ちた水が槽体表面における凹部の周囲部位へと付着して水垢や汚れの原因となることを抑制でき、より優れた美観や衛生性を得ることができる。
【００１９】
手段４．前記槽体は、底壁部及び当該底壁部の周縁から立設された側壁部を有し、
前記栓蓋は、前記側壁部側に配置されるとともに、その回動軸が当該側壁部の幅方向に沿って延びるものとされ、かつ、当該側壁部とは反対側を回動中心として回動可能に構成されていることを特徴とする手段１乃至３のいずれかに記載の排水栓装置。
【００２０】
尚、「側壁部の幅方向」とは、換言すれば、平面視したとき（上方から見たとき）における側壁部の延びる方向をいう。また、「栓蓋が側壁部側に配置される」とあるのは、平面視したときに、栓蓋（特に側壁部に最も近接した部位）が側壁部の近傍（例えば３０ｍｍ以内、より好ましくは２０ｍｍ以内、より一層好ましくは１０ｍｍ以内）に配置される場合のみならず、栓蓋が底壁部から側壁部にかけて設けられるような場合も含む。さらに、側壁部のうち底壁部に連続する部位は、底壁部側から徐々に立ち上がるような湾曲形状となっていてもよい。
【００２１】
上記手段４によれば、栓蓋は、側壁部側に配置されている。従って、使用者にとって栓蓋が邪魔になりにくい状態とすることができ、例えば、槽体に“もの”を置く場合などに都合がよくなる。また、より一層優れた美観を得ることも可能となる。さらに、槽体が浴槽である場合には、栓蓋の踏み付けをより確実に防止することができ、踏み付けによる栓蓋などの破損や変形、及び、踏み付けに伴い使用者が不快感を覚えることなどをより確実に防止できる。
【００２２】
さらに、上記手段４によれば、栓蓋は、その回動軸が側壁部の幅方向に沿って延びるものとされ、かつ、側壁部とは反対側を回動中心として回動するものとされている。従って、槽体における底壁部の中央側から見たときに、排水流入口が開状態であっても閉状態であっても、栓蓋によって排水流入口やその周辺部位を隠した状態とすることができる。これにより、汚れなどの付着しやすい排水流入口の形成部位やその周辺部位を使用者が視認しにくい状態とすることができ、美観の向上をより一層図ることができる。
【００２３】
手段５．前記槽体に貫通形成された取付孔に対し挿設されるとともに、前記台座部が取付けられる排水口部材を備え、
前記排水口部材は、
端部開口が前記排水流入口を構成する筒状の本体部と、
当該本体部の上端部から外側に突出する鍔部とを有し、
前記本体部の内部空間を通り、かつ、前記栓蓋の回動軸と直交する断面において、前記本体部の外周部に対する前記鍔部の突出量が、前記側壁部とは反対側の方よりも前記側壁部側の方が小さなものとなるように構成されていることを特徴とする手段４に記載の排水栓装置。
【００２４】
上記手段５によれば、本体部の外周部に対する鍔部の突出量について、側壁部側の方が比較的小さなものとなるように排水口部材が構成されている。従って、排水口部材ひいては台座部や栓蓋をより側壁部側へとより寄せた状態で設置することが可能となる。その結果、栓蓋を側壁部側に配置することによる作用効果をより確実にかつより効果的に発揮させることができる。
【００２５】
手段６．前記栓蓋は、前記支持部に対し取付及び取外自在に構成されており、
前記栓蓋を前記側壁部側へと移動させることで、前記支持部から前記栓蓋を取外可能であることを特徴とする手段４又は５に記載の排水栓装置。
【００２６】
上記手段６によれば、栓蓋は支持部に対し取付及び取外自在であるため、例えば清掃やメンテナンスなどに係る作業性や利便性を高めることができる。
【００２７】
また、上記手段６によれば、栓蓋は、これを側壁部側へと移動させることで、支持部から取外可能とされている。ここで、側壁部とは反対側へと栓蓋を移動させることで、支持部から栓蓋を取外可能に構成した場合には、斜めに傾いた栓蓋の裏面に“もの”（例えばシャワーホースやドライヤなどのケーブルなど）が引っ掛かった状態で当該“もの“を側壁部とは反対側へと引いてしまうこと等により、意図せず支持部から栓蓋が外れてしまうおそれがある。これに対し、上記手段６によれば、仮に栓蓋の裏面に”もの“が引っ掛かった状態で当該”もの“を側壁部とは反対側へと引いたとしても、支持部から栓蓋が外れるといった事態は通常生じない。従って、意図しない栓蓋の外れをより確実に防ぐことができ、使い勝手を向上させることができる。
【００２８】
手段７．前記作動軸機構は、前記栓蓋の上面に対する押動により、前記作動軸を所定の上方位置にて保持すること、及び、前記作動軸を所定の下方位置にて保持することを交互に行うことが可能に構成されていることを特徴とする手段１乃至６のいずれかに記載の排水栓装置。
【００２９】
上記手段７によれば、栓蓋の上面を押動する（手で押したり、軽く踏んだりする）ことで、作動軸を上下動させて排水流入口の開閉状態を切換えることができる。排水流入口の開閉状態を切換えるにあたって、栓蓋自体が操作対象となるため、使用者にとって便利である。
【００３０】
尚、上記手段７においては、栓蓋の上面形状として容易に押動可能な形状（例えば下に凸の湾曲面状）を採用しつつ、上記手段１の構成により栓蓋の上面に対する汚れ等の付着防止を図ることが可能である。また、上記手段１の構成により栓蓋の上面に対する汚れ等の付着防止を図ることができるため、上記手段７のように栓蓋の上面が操作対象となるように構成しても、栓蓋の操作時に使用者が汚れ等に起因する不快感を抱くといった事態は生じにくい。従って、上記手段１の構成は、上記手段７の構成において特に有効に作用するといえる。
【図面の簡単な説明】
【００３１】
【図１】排水流入口を閉状態としたときにおける排水栓装置などの斜視図である。
【図２】浴槽の断面模式図である。
【図３】排水流入口を閉状態としたときにおける図１のＪ−Ｊ線断面図である。
【図４】排水流入口を開状態としたときにおける図１のＪ−Ｊ線断面図である。
【図５】排水流入口を開状態としたときにおける図１のＫ−Ｋ線断面図である。
【図６】排水流入口を開状態としたときにおける図１のＬ−Ｌ線断面図である。
【図７】別の実施形態における排水栓装置を示す断面図である。
【発明を実施するための形態】
【００３２】
以下に、一実施形態について図面を参照しつつ説明する。図１及び図２に示すように、排水栓装置１は、槽体としての浴槽１００からの排水の可否を切換えるための装置であり、本実施形態では、浴槽１００における底壁部１０１から側壁部１０２にかけた部位に設けられている。排水栓装置１の説明に先立って、まず、浴槽１００の構成について説明する。
【００３３】
底壁部１０１は、浴槽１００の底面を構成する部位であり、その上面がほぼ水平面状をなすように構成されている。側壁部１０２は、底壁部１０１の周縁に立設された部位であり、当該底壁部１０１から徐々に立ち上がる湾曲状部位と、当該部位の上端に連続し、鉛直方向に対しやや傾いた形状をなす部位とを備えている。
【００３４】
さらに、図３に示すように、浴槽１００における底壁部１０１から側壁部１０２（底壁部１０１から徐々に立ち上がる部位）にかけた部位には、ほぼ鉛直方向に垂下する垂下部１０３と、当該垂下部１０３の下端部から内側に突出する内鍔状の張出部１０４とが設けられている。そして、垂下部１０３により囲まれた空間によって、浴槽１００における底壁部１０１から側壁部１０２にかけた部位には、窪み状の凹部１０５が形成されている。本実施形態において、平面視したときにおける凹部１０５の形状は、横方向に延びる平行な２本の長辺と、これら２本の長辺の端部同士を結ぶ平行な２本の短辺とを備えた角丸矩形と同一の形状とされている。尚、横方向とは、側壁部１０２の幅方向（すなわち平面視したときにおける側壁部１０２の延びる方向）をいう（図１参照）。
【００３５】
また、張出部１０４には、後述する排水口部材２等をねじ止め固定するための孔部１０４ａが一対貫通形成されている（図６参照）。さらに、張出部１０４の内周には、浴槽１００を貫通する取付孔１０６が形成されている。本実施形態において、平面視したときにおける取付孔１０６の形状は、長円形状（前記横方向に延びる２本の平行な辺部分と、これら辺部分の各端部同士を結ぶ湾曲部分とを備えた形状）とされている。
【００３６】
次いで、排水栓装置１について説明する。排水栓装置１は、図３〜６に示すように、排水口部材２、配管３、作動軸機構４、台座部５及び栓蓋６を備えている。尚、図３は、後述する排水流入口２１を閉状態としたときにおける図１のＪ−Ｊ線断面図であり、図４は、排水流入口２１を開状態としたときにおける図１のＪ−Ｊ線断面図である。また、図５は、排水流入口２１を開状態としたときにおける図１のＫ−Ｋ線断面図であり、図６は、排水流入口２１を開状態としたときにおける図１のＬ−Ｌ線断面図である。
【００３７】
排水口部材２は、取付孔１０６に挿通された状態で設置される筒状部品である。排水口部材２における内部空間は、浴槽１００から排出される水の流路を構成しており、排水口部材２における内周上端部の開口によって、浴槽１００からの排水時に水が流入する排水流入口２１が形成されている。排水流入口２１は、凹部１０５内に設けられており、これを正面から見たとき（本実施形態では、平面視したとき）、縦方向よりも横方向が長い横長形状（本実施形態では、長円形状）とされている。すなわち、排水流入口２１は、側壁部１０２の幅方向に沿って延びる横長形状とされている。
【００３８】
また、排水口部材２は、本体部２２及び鍔部２３を備えている。本体部２２は、取付孔１０６の形状に対応する横長の長円筒状をなしている。つまり、本体部２２は、横方向に延びて相対向する比較的長い平行な２つの長板状部分と、これら長板状部分の端部同士を連結する湾曲板状部分とを備えた形状となっている。
【００３９】
鍔部２３は、本体部２２の上端部から外側に突出しており、その外縁部は、垂下部１０３の内周形状よりも一回り小さい程度の角丸矩形状となっている。また、鍔部２３における前記孔部１０４ａに対応する箇所のそれぞれには、貫通孔２３ａ（図６参照）が形成されている。
【００４０】
さらに、本体部２２の内部空間を通り、かつ、栓蓋６の後述する回動軸ＲＡと直交する断面において、本体部２２の外周部に対する鍔部２３の突出量は、側壁部１０２とは反対側の方よりも側壁部１０２側の方が小さくなるように構成されている（図３〜５参照）。すなわち、本実施形態における鍔部２３は、平面視したときに、側壁部１０２の幅方向に沿って延びる比較的長い２本の平行な長辺部分を備えた形状をなすところ、側壁部１０２側に位置する当該長辺部分の幅が、側壁部１０２とは反対側に位置する当該長辺部分の幅よりも小さなものとされている。
【００４１】
配管３は、筒状をなしており、排水口部材２とともに、排水流入口２１を通過して流れる排水の流路を構成する部位である。また、配管３の一端面であって、前記孔部１０４ａに対応する箇所のそれぞれには、内周に雌ねじ部を有する窪み状のねじ穴部３１（図６参照）が形成されている。そして、取付孔１０６及び配管３内に排水口部材２を挿通した状態で、外周に雄ねじを有する所定のねじ８（図６参照）を貫通孔２３ａ及び孔部１０４ａを通してねじ穴部３１に螺合し、鍔部２３及び配管３の上端面により張出部１０４を挟み込んだ状態とすることで、排水口部材２及び配管３が接続されるとともに、両者が浴槽１００に取付けられた状態となっている。
【００４２】
尚、本実施形態において、張出部１０４の上面と鍔部２３との間には、弾性変形可能な材料（例えば、樹脂やゴム等）により形成された環状のシール部材９が配置されており、また、配管３の上端面と張出部１０４の下面との間には、同様に弾性変形可能な材料により形成された環状のシール部材１０が配置されている。これらシール部材９，１０によって、排水口部材２及び配管３と浴槽１００との間からの漏水防止が図られている。尚、これらシール部材９，１０も、前記孔部１０４ａに対応する箇所に孔を有している。
【００４３】
作動軸機構４は、排水口部材２及び配管３の内部（すなわち排水の流路）に配置されており、栓蓋６を移動させる機能を有する。作動軸機構４は、ケース部４１、作動軸４２、回転リング４３及び付勢部４４を備えている。
【００４４】
ケース部４１は、作動軸４２及び付勢部４４を保持しつつ、排水口部材２の内周に取付けられることで、作動軸４２を栓蓋６の裏側に設置するための部品である。ケース部４１は、外環部４１ａ、連結部４１ｂ、保持部４１ｃ及び閉塞部４１ｄを備えている。
【００４５】
外環部４１ａは、排水口部材２に対する作動軸機構４の取付部として機能する部位である。外環部４１ａは、排水口部材２（本体部２２）の内周形状に対応する長円筒状をなしており、保持部４１ｃを間に置いて相対向し、かつ、横方向に延びる２つの長板状部分を備えた形状とされている。本実施形態では、外環部４１ａが排水口部材２の内周面に設けられた段差部分に載置されること等によって、排水口部材２に対し作動軸機構４が取付けられた状態となっている。尚、外環部４１ａを、配管３の内側に取付けるように構成してもよいし、排水口部材２から配管３にかけた両者の内側部分に取付けるように構成してもよい。
【００４６】
連結部４１ｂは、外環部４１ａの内周面と保持部４１ｃの外周面とを連結する部位である。本実施形態において、連結部４１ｂは、外環部４１ａにおける上述した各長板状部分と保持部４１ｃの外周面とを連結するようにして２本設けられている。尚、連結部４１ｂの数や形成位置等については適宜変更可能である。
【００４７】
保持部４１ｃ及び閉塞部４１ｄは、作動軸４２や付勢部４４を保持するためのものである。保持部４１ｃ及び閉塞部４１ｄはそれぞれ円筒状をなしており、保持部４１ｃの下端部開口を塞ぐようにして当該保持部４１ｃ内に閉塞部４１ｄが挿通設置された状態となっている。
【００４８】
また、保持部４１ｃの内周部には係合歯４１ｅ（図３，４参照）が設けられ、閉塞部４１ｄの内周部には案内歯４１ｆが設けられている。係合歯４１ｅ及び案内歯４１ｆは、保持部４１ｃ等の軸方向に沿って相対向した状態とされている。
【００４９】
係合歯４１ｅは、保持部４１ｃの軸方向に沿って延びる突条形状をなしており、保持部４１ｃの周方向に沿って等間隔に複数設けられている。係合歯４１ｅの先端部（下端部）には、回転リング４３（より詳しくは、回転リング４３の後述する被係合歯）が係合される被係合部分が設けられている。また、隣接する各係合歯４１ｅの間には、保持部４１ｃの軸方向に沿って延びる溝が形成されている。
【００５０】
案内歯４１ｆは、閉塞部４１ｄの周方向に沿って等間隔に複数設けられている。案内歯４１ｆは、所定の傾斜面を具備しており、当該傾斜面へと接触した回転リング４３を所定方向に回転させるという役割を有する。
【００５１】
作動軸４２は、栓蓋６を正面から見た（栓蓋６をその上面と相対する位置から見た）ときに当該栓蓋６の裏側に位置しており、自身の往復移動により栓蓋６を移動させるものである。作動軸４２は、円柱状をなしており、上下方向に往復移動可能な状態で保持部４１ｃ及び閉塞部４１ｄの内周に挿設されている。本実施形態における作動軸４２は、２つの棒状部品が直列的に連結されることで構成されている。より詳しくは、各棒状部品の端面中心に形成されたねじ穴のそれぞれに対し、図示しないねじ部品が螺合されることで、各棒状部品が連結されて作動軸４２が構成されている。勿論、作動軸４２を１の部品から構成してもよい。
【００５２】
回転リング４３は、円環状をなしており、作動軸４２の外周に回転可能な状態で配設されており、また、作動軸４２の往復移動時に、作動軸４２とともに往復移動するようになっている。さらに、回転リング４３は、自身の外周面に、外側に突出する複数の被係合歯を備えている。当該被係合歯は、回転リング４３の周方向に沿って等間隔に設けられている。
【００５３】
付勢部４４は、保持部４１ｃ及び閉塞部４１ｄ内に設けられており、作動軸４２に対しその往動（上動）方向に沿った付勢力を付与するためのものである。付勢部４４は、例えば伸縮変形可能なばねによって構成されており、作動軸４２及び閉塞部４１ｄにより挟まれて圧縮変形した状態で設置されている。
【００５４】
上記のように構成された作動軸機構４は、栓蓋６の上面に対する押動により、作動軸４２を所定の上方位置にて保持すること、及び、作動軸４２を所定の下方位置にて保持することを交互に行うことが可能である。
【００５５】
より詳しくは、栓蓋６の上面に対する押動により、作動軸４２に対し下方に向けた力が加わるところ、作動軸４２が前記上方位置に配置されている状態（図４〜６に示す状態であり、排水流入口２１が開放されている状態）で栓蓋６の上面を押動すると、作動軸４２が復動（下動）して、回転リング４３の前記被係合歯が案内歯４１ｆへと接触しつつ当該案内歯４１ｆを摺動し、回転リング４３が若干回転する。このとき、回転リング４３の周方向に沿って、回転リング４３の前記被係合歯と、係合歯４１ｅの前記被係合部分との位置がほぼ合った状態となる。
【００５６】
この状態で、栓蓋６に対する押動が解除され、付勢部４４からの付勢力により作動軸４２や回転リング４３が往動（上動）すると、回転リング４３の前記被係合歯が係合歯４１ｅの前記被係合部分に係合された状態となる。その結果、作動軸４２が前記下方位置にて保持（ロック）された状態となる。
【００５７】
一方、作動軸４２が前記下方位置に配置されている状態（図３に示す状態であり、排水流入口２１が閉鎖されている状態）で栓蓋６の上面を押動すると、作動軸４２が若干だけ復動（下動）した段階で、回転リング４３の前記被係合歯が案内歯４１ｆへと接触しつつ当該案内歯４１ｆを摺動し、回転リング４３が若干回転する。このとき、回転リング４３の周方向に沿って、回転リング４３の前記被係合歯と、隣接する各係合歯４１ｅ間に形成された前記溝との位置がほぼ合った状態となる。
【００５８】
この状態で、栓蓋６に対する押動を解除し、付勢部４４からの付勢力により作動軸４２や回転リング４３が往動（上動）すると、回転リング４３の前記被係合歯が隣接する各係合歯４１ｅ間に形成された前記溝に入り込むことで、作動軸４２は前記上方位置まで往動（上動）する。その結果、作動軸４２が前記上方位置にて保持された状態となる。
【００５９】
次に、台座部５及び栓蓋６について説明する。台座部５は、栓蓋６を回動可能な状態で支持するための部品である。本実施形態における台座部５は、全体として、排水口部材２の鍔部２３の形状に対応する角丸矩形の環状をなしている。つまり、台座部５は、平面視したときに、側壁部１０２の幅方向に沿って延びる比較的長い２本の平行な長辺部分と、当該長辺部分にほぼ直交する比較的短い２本の平行な短辺部分とを備え、これら長辺部分及び短辺部分の端部同士が湾曲状部分で連結された形状となっている。
【００６０】
また、台座部５は、排水口部材２に対し取付けられた状態となっている。つまり、台座部５は、浴槽１００に対し間接的に固定された状態となっている。台座部５に対する排水口部材２の取付手法は特に限定されるものではないが、例えば、台座部５のうちの鍔部２３の外周側に配置される部位に内向きに突出する凸部を設け、当該凸部を鍔部２３の外周に設けられた凹部に入り込ませた状態とすることで、台座部５を排水口部材２に取付けることができる。尚、本実施形態においては、美観の向上などを図るべく、台座部５は前記ねじ８を覆うとともに、鍔部２３及び垂下部１０３間に入り込んだ状態で設けられている。
【００６１】
さらに、台座部５の上面には、栓蓋６の後述する回動軸部６１ａを支持するための支持部５１（図５参照）が設けられている。支持部５１は、台座部５における側壁部１０２とは反対側、つまり上述した台座部５を構成する２本の長辺部分のうち側壁部１０２とは反対側（換言すれば底壁部１０１の中心側）に位置する長辺部分に設けられている。また、支持部５１は、前記長辺部分の上面から突出形成されており、前記長辺部分の延びる方向に沿って間隔をあけて複数（例えば２つ）設けられている。さらに、各支持部５１は、側壁部１０２側に位置する（側壁部１０２側を向く）切欠き部分を備えることで、一部が途切れた環状をなしており、後述する回動軸部６１ａは、当該切欠き部分を通して支持部５１に対し取付及び取外自在となっている。
【００６２】
栓蓋６は、排水流入口２１を開閉するための栓であり、排水流入口２１の形状に対応する横長形状（本実施形態では平面視角丸矩形状）とされている（図１参照）。栓蓋６は、側壁部１０２側に位置し、凹部１０５に対応して（本実施形態では、凹部１０５内に）配置されており、本実施形態では、排水流入口２１が閉状態であるときに、その全体が凹部１０５内に収容されるようになっている。栓蓋６は、例えば樹脂等からなる扁平状の栓蓋本体部６１と、当該栓蓋本体部６１の裏面部における外縁側に取付けられた、弾性変形可能な材料（例えばゴムや樹脂等）からなるパッキン部６２とを有している。
【００６３】
栓蓋本体部６１は、その裏側に、側壁部１０２の幅方向に沿って延びる円柱状をなす回動軸部６１ａ（図５参照）を有しており、当該回動軸部６１ａが支持部５１に対し回動可能な状態で取付けられている。つまり、栓蓋６は、支持部５１に対し回動可能な状態で取付けられている。これにより、栓蓋６は、その回動軸ＲＡが側壁部１０２の幅方向（横方向）に沿って延びるとともに、側壁部１０２とは反対側（底壁部１０１の中心側）を回動中心として回動可能となっている。
【００６４】
また、上記の通り、回動軸部６１ａは、支持部５１の切欠き部分を通して当該支持部５１に対し取付及び取外自在に構成されているところ、本実施形態では、栓蓋６（栓蓋本体部６１）を側壁部１０２側へと移動させることで、支持部５１から回動軸部６１ａひいては栓蓋６を取外すことができるようになっている。
【００６５】
さらに、栓蓋本体部６１の裏面中央領域に対し作動軸４２の先端部が接触可能となっており、作動軸４２の往復移動に伴い、栓蓋６が回動して浴槽１００に対し変位するようになっている。
【００６６】
本実施形態では、作動軸４２が前記上方位置に配置されているときにおいて、栓蓋６の上面を押動して、栓蓋６を回動させつつ、作動軸４２を前記下方位置にて保持（ロック）した状態とすることで、栓蓋６が重力によって回動して、パッキン部６２の外周部分全域が排水口部材２と接触し、その結果、排水流入口２１が閉状態とされる（図３参照）。一方、この状態で、栓蓋６の上面を押動して作動軸４２のロックを解除すると、付勢部４４からの付勢力により、栓蓋６が回動しつつ作動軸４２が前記上方位置にて保持され、さらに、パッキン部６２が排水口部材２から離間した状態となり、その結果、排水流入口２１が開状態とされる（図４〜６参照）。このように本実施形態における排水栓装置１は、栓蓋６の上面を押す度に、栓蓋６が移動して排水流入口２１の開閉状態が交互に切換わる構造（いわゆるダイレクトプッシュ）となっている。尚、排水流入口２１が開状態であるときには、栓蓋６における回動軸ＲＡとは反対側の部位が凹部１０５の外に出ることとなる。
【００６７】
また、上記の通り、栓蓋６が回動することで排水流入口２１の開閉状態が切換えられるところ、本実施形態では、排水流入口２１が開状態であるときに栓蓋６が水平方向に対し斜めに傾いた状態（より詳しくは、栓蓋６の上面が水平方向に対し同じ向きに斜めに傾いた状態）となるように構成されている。
【００６８】
加えて、栓蓋６（栓蓋本体部６１）の上面は、底壁部１０１から側壁部１０２にかけた湾曲形状に対応すべく、下に凸の湾曲面状とされている。そして、排水流入口２１が閉状態であるときには、前記凹部１０５に栓蓋６が収容された状態になるとともに、浴槽１００の表面（本実施形態では、底壁部１０１や側壁部１０２の表面）から栓蓋６（栓蓋本体部６１）の上面にかけて連続面状をなすようになっている（図３参照）。尚、「連続面状をなす」とあるのは、厳密な連続面となる場合のみならず、浴槽１００の表面と栓蓋６の上面との間に数ｍｍ程度（例えば、２〜３ｍｍ以下程度）の段差や凹み、隙間などが存在し、両面がほぼ連続面となる場合も含む。
【００６９】
さらに、排水流入口２１が開状態であるときに、栓蓋６（栓蓋本体部６１）の上面のうち当該栓蓋６の傾き方向に沿った最下部が凹部１０５内に配置されるようになっている（図４，５参照）。
【００７０】
以上詳述したように、本実施形態によれば、排水流入口２１が開状態であるときに、栓蓋６は水平方向に対し斜めに傾いた状態となる。そのため、栓蓋６の上面に付着した水が当該上面を伝わって流れ落ちることとなるため、栓蓋６の上面における水の残留をより確実に防止することができる。これにより、栓蓋６の上面に対する水垢や汚れなどの付着をより確実に防ぐことができ、美観や衛生性の向上を図ることができる。
【００７１】
また、本実施形態によれば、栓蓋６の上面における水の残留防止を図るために、栓蓋６の上面形状を上に凸の湾曲面状とする必要がなくなる。さらに、栓蓋６の裏側に配置される作動軸４２によって栓蓋６を回動させるため、栓蓋６を回動させるための構造が栓蓋６の上面形状に影響を与えることがない。これらの結果、栓蓋６の上面形状に関する自由度を飛躍的に高めることができる。
【００７２】
さらに、栓蓋６の上面は下に凸の湾曲面状とされるとともに、排水流入口２１が閉状態であるときには、栓蓋６が凹部１０５に収容され、栓蓋６の上面から浴槽１００の表面にかけて連続面状となる。従って、従前のように栓蓋の上面を上に凸の湾曲面状とした場合と比較して、栓蓋６の上面から浴槽１００の表面にかけての部位をより滑らかで凹凸のほとんど存在しない状態とすることができる。これにより、非常に優れた美観を得ることができる。
【００７３】
加えて、栓蓋６の上面から浴槽１００の表面にかけて凹凸がほとんど存在しない状態となることで、使用者にとっての安全性を高めることができる。さらに、栓蓋６の上面から浴槽１００の表面にかけての部位における汚れや水垢の付着をより効果的に抑制することができ、また、仮に汚れ等が付着したとしても、付着した汚れ等の除去を容易に行うことが可能となる。
【００７４】
併せて、排水流入口２１が開状態であるときに、栓蓋６の上面のうち当該栓蓋６の傾き方向に沿った最下部が凹部１０５内に配置される。従って、排水流入口２１が開状態であるときに、栓蓋６の上面に付着し当該上面を伝わって流下する水を凹部１０５内へとより確実に案内することができる。これにより、栓蓋６上面を流れ落ちた水が浴槽１００表面における凹部１０５の周囲部位へと付着して水垢や汚れの原因となることを抑制でき、より優れた美観や衛生性を得ることができる。
【００７５】
また、栓蓋６は、側壁部１０２側に配置されているため、使用者にとって栓蓋６が邪魔になりにくい状態とすることができ、例えば、浴槽１００に“もの”（例えば持ち運び可能な洗面器など）を置く場合などに都合がよくなる。また、より一層優れた美観を得ることも可能となる。さらに、栓蓋６の踏み付けをより確実に防止することができ、踏み付けによる栓蓋６などの破損や変形、及び、踏み付けに伴い使用者が不快感を覚えることなどをより確実に防止できる。
【００７６】
加えて、栓蓋６は、その回動軸ＲＡが側壁部１０２の幅方向に沿って延びるものとされ、かつ、側壁部１０２とは反対側を回動中心として回動するものとされている。従って、浴槽１００における底壁部１０１の中央側から見たときに、排水流入口２１が開状態であっても閉状態であっても、栓蓋６によって排水流入口２１やその周辺部位を隠した状態とすることができる。これにより、汚れなどの付着しやすい排水流入口２１の形成部位やその周辺部位を使用者が視認しにくい状態とすることができ、美観の向上をより一層図ることができる。
【００７７】
また、本実施形態では、本体部２２の外周部に対する鍔部２３の突出量について、側壁部１０２側の方が比較的小さなものとなるように排水口部材２が構成されている。従って、排水口部材２ひいては台座部５や栓蓋６をより側壁部１０２側へとより寄せた状態で設置することが可能となる。その結果、栓蓋６を側壁部１０２側に配置することによる上記作用効果をより確実にかつより効果的に発揮させることができる。
【００７８】
さらに、栓蓋６は支持部５１に対し取付及び取外自在であるため、例えば清掃やメンテナンスなどに係る作業性や利便性を高めることができる。
【００７９】
また、栓蓋６は、これを側壁部１０２側へと移動させることで、支持部５１から取外可能である。ここで、側壁部１０２とは反対側へと栓蓋６を移動させることで、支持部５１から栓蓋６を取外可能に構成した場合には、斜めに傾いた栓蓋６の裏面に“もの”（例えばシャワーホースやドライヤなどのケーブルなど）が引っ掛かった状態で当該“もの“を側壁部１０２とは反対側へと引いてしまうこと等により、意図せず支持部５１から栓蓋６が外れてしまうおそれがある。これに対し、本実施形態では、仮に栓蓋６の裏面に”もの“が引っ掛かった状態で当該”もの“を側壁部１０２とは反対側へと引いたとしても、支持部５１から栓蓋６が外れるといった事態は通常生じない。従って、意図しない栓蓋６の外れをより確実に防ぐことができ、使い勝手を向上させることができる。
【００８０】
加えて、本実施形態では、栓蓋６の上面を押動する（手で押したり、軽く踏んだりする）ことで、作動軸４２を上下動させて排水流入口２１の開閉状態を切換えることができる。排水流入口２１の開閉状態を切換えるにあたって、栓蓋６自体が操作対象となるため、使用者にとって便利である。
【００８１】
また、本実施形態では、栓蓋６の上面は下に凸の湾曲面状をなすため、栓蓋６の上面を容易に押動することが可能となる。さらに、栓蓋６の上面に対する汚れの付着防止を図ることができるため、本実施形態のように栓蓋６の上面が操作対象となるように構成した場合であっても、栓蓋６の操作時に使用者が汚れ等に起因する不快感を抱くといった事態をより生じにくくすることができる。
【００８２】
尚、上記実施形態の記載内容に限定されず、例えば次のように実施してもよい。勿論、以下において例示しない他の応用例、変更例も当然可能である。
【００８３】
（ａ）上記実施形態において、台座部５は、排水口部材２に取付けられることで、浴槽１００に対し間接的に固定された状態となっているが、浴槽１００に対し直接的に取付けられるように構成してもよい。
【００８４】
（ｂ）上記実施形態では、排水流入口２１が開状態であるときに、栓蓋６が水平方向に対し斜めに傾いた状態となるように構成されているが、排水流入口２１が閉状態であるときに、栓蓋６がこの状態となるように構成してもよい。勿論、排水流入口２１が開状態であるとき、及び、排水流入口２１が閉状態であるときの双方において、栓蓋６が水平方向に対し斜めに傾いた状態となるように構成してもよい。
【００８５】
（ｃ）排水流入口２１を開状態としたときにおける排水能力をより確実に確保すべく、少なくとも排水流入口２１を開状態としたときに、栓蓋６（栓蓋６１）の外縁部（例えば、回動軸ＲＡ側に位置する外縁部）と、浴槽１００における凹部１０５を形成する部位との間に比較的大きな隙間が形成されるように構成してもよい。
【００８６】
（ｄ）上記実施形態では、排水流入口２１が開状態であるときに、栓蓋６（栓蓋本体部６１）の上面のうち当該栓蓋６の傾き方向に沿った最下部が凹部１０５内に配置されるように構成されているが、当該最下部が、排水流入口２１が開状態であるときに、凹部１０５の鉛直上方に配置されるように構成してもよい。この場合であっても、栓蓋６の上面に付着し当該上面を伝わって流下する水を凹部１０５内へとより確実に案内することができ、その結果、より優れた美観や衛生性を得ることができる。
【００８７】
また、上記実施形態では、栓蓋６を収容可能な比較的深い凹部１０５が浴槽１００に設けられているが、凹部１０５を比較的浅いものとし、浴槽１００の表面から栓蓋６の上面が上方に突出するように構成してもよい。勿論、浴槽１００に凹部１０５を設けない構成としてもよい。
【００８８】
（ｅ）上記実施形態では、排水口部材２及び台座部５が別体とされているが、排水口部材及び台座部を一体としてもよい。すなわち、排水口部材及び台座部が一体化されてなる１の部品を用いることとしてもよい。例えば、上記実施形態における排水口部材２の上面部に支持部５１に相当する部位を設けることで、排水口部材に対し台座部が一体化されるように構成してもよい。
【００８９】
（ｆ）上記実施形態において、支持部５１はほぼ環状をなしており、当該支持部５１に対し栓蓋６の回動軸部６１ａが取付けられるように構成されているが、支持部を棒状とするとともに、栓蓋６に対し、当該棒状の支持部が取付けられるほぼ環状部分を設けることとしてもよい。すなわち、上記実施形態における支持部５１に相当するほぼ環状部分を栓蓋６に設け、上記実施形態における回動軸部６１ａに相当する棒状部分を、台座部５に設けることとしてもよい。この場合、台座部５に設けられた棒状部分が、支持部に相当する。
【００９０】
（ｇ）上記実施形態では、側壁部１０２とは反対側（底壁部１０１の中心側）を回動中心として栓蓋６が回動可能とされているが、栓蓋６における回動中心を適宜変更してもよい。例えば、栓蓋６を、側壁部１０２側を回動中心として回動可能に構成してもよい。
【００９１】
（ｈ）上記実施形態では、栓蓋６（パッキン部６２）が排水口部材２に接触することで、排水流入口２１が閉状態となるように構成されているが、栓蓋６が台座部５又は浴槽１００に接触することで、排水流入口２１が閉状態となるように構成してもよい。
【００９２】
（ｉ）上記実施形態における排水栓装置１は、栓蓋６を押動することで排水流入口２１の開閉状態が切換わる構造（いわゆるダイレクトプッシュ）とされているが、必ずしもこの構造である必要はない。従って、例えば、図７に示すように、浴槽１００に対し変位可能な図示しない操作部（例えば操作ボタンや操作ハンドルなど）の変位による駆動力を伝達するための伝達部材７１ａ（例えばワイヤ等）と、当該伝達部材７１ａにより伝達された駆動力によって上下動可能な作動軸７１ｂと、自身の内周にて当該作動軸７１ｂを往復移動可能な状態で保持する筒状部７１ｃとを有してなる駆動機構７１を設け、前記操作部を操作しこれを変位させることで、伝達部材７１ａ及び作動軸７１ｂが移動し、ひいては排水流入口２１の開閉状態が切換わるように構成してもよい。
【００９３】
（ｊ）上記実施形態において、作動軸機構４は、作動軸４２により栓蓋６を移動させる機能と、栓蓋６の裏側に作動軸４２を設置する機能とを備えているが、両機能を別々の部品によって構成し、これら部品を組合わせることで作動軸機構４を構成してもよい。例えば、図７に示すように、作動軸７１ｂにより栓蓋６を移動させる機能を有する駆動機構７１と、当該駆動機構７１（筒状部７１ｃ）を保持することで、栓蓋６の裏側に作動軸７１ｂを設置する機能を有するアタッチメント部材７２とを別々の部品によって構成し、駆動機構７１及びアタッチメント部材７２を組合わせることで作動軸機構７を構成してもよい。
【００９４】
（ｋ）上記実施形態において、栓蓋６（栓蓋本体部６１）の上面は、下に凸の湾曲面状をなしている。これに対し、図７に示すように、排水栓装置１を底壁部１０１に設ける場合、つまり、排水栓装置１を側壁部１０２に至らないようにして設ける場合には、栓蓋６（栓蓋本体部６１）の上面を平坦面状とすることで、排水流入口２１が閉状態であるときに、前記凹部１０５に栓蓋６が収容された状態になるとともに、浴槽１００（底壁部１０１）の表面から栓蓋６（栓蓋本体部６１）の上面にかけて連続面状をなすように構成してもよい。
【００９５】
（ｌ）上記実施形態において、取付孔１０６は平面視長円形状をなしており、また、排水口部材２（本体部２２）は、取付孔１０６の形状に合わせた形状とされているが、取付孔１０６の形状を適宜変更してもよく、また、取付孔１０６の形状変更に合わせて排水口部材２の形状を変更してもよい。従って、例えば、取付孔１０６を平面視矩形状（角丸矩形状を含む）とし、この形状に合わせて排水口部材２（本体部２２）を矩形筒状としてもよい。
【００９６】
また、排水流入口２１の形状を適宜変更してもよく、例えば、円形状や矩形状、多角形状などをなすようにしてもよい。
【００９７】
さらに、凹部１０５や栓蓋６の形状についても適宜変形可能であり、例えば、これらの形状を平面視円形状や長円形状などとしてもよい。
【００９８】
（ｍ）上記実施形態において、栓蓋６は、底壁部１０１から側壁部１０２にかけて設けられているが、栓蓋６を底壁部１０１のみに（側壁部１０２にかからない状態で）設けることとしてもよい。また、この場合には、栓蓋６を側壁部１０２側に（側壁部１０２に寄せるようにして）設けてもよい。
【００９９】
（ｎ）栓蓋６の上面及び浴槽１００の表面における一体感をより高めるために、栓蓋６の上面色と浴槽１００の表面色とを同一としてもよい。
【０１００】
（ｏ）上記実施形態において、排水流入口２１は、排水口部材２の内周開口により形成されているが、例えば排水口部材２を設けない場合には、浴槽１００に貫通形成された孔（例えば取付孔１０６のような孔）の開口により排水流入口を構成してもよい。また、台座部５の内側開口によって排水流入口を構成してもよい。
【０１０１】
（ｐ）上記実施形態において、作動軸４２の上端部は栓蓋６と単に接触するように構成されているが、例えば作動軸４２の上端部を栓蓋６に嵌合することで、作動軸４２の上端部に栓蓋６を取付けるように構成してもよい。この場合には、作動軸４２の復動（下動）による引き込み力が栓蓋６に加わることとなるため、排水流入口２１を閉状態としたときに、排水口部材２に対しパッキン部６２をより強く圧接させて、より良好な止水性を得ることができる。
【０１０２】
（ｑ）上記実施形態では、槽体として浴槽１００を例示しているが、本発明の技術思想を適用可能な槽体は浴槽に限定されるものではない。従って、例えば、洗面ボウルやキッチンの流し台などの浴槽以外の槽体に対し本発明の技術思想を適用してもよい。
【符号の説明】
【０１０３】
１…排水栓装置、２…排水口部材、４，７…作動軸機構、５…台座部、６…栓蓋、２１…排水流入口、２２…本体部、２３…鍔部、４２…作動軸、５１…支持部、１００…浴槽（槽体）、１０１…底壁部、１０２…側壁部、１０５…凹部、１０６…取付孔。
【図１】
2020204200.tif 000003
【図２】
2020204200.tif 000004
【図３】
2020204200.tif 000005
【図４】
2020204200.tif 000006
【図５】
2020204200.tif 000007
【図６】
2020204200.tif 000008
【図７】
2020204200.tif 000009